(57)【要約】【課題】室内等から放光口を見上げたときの見た目の眩しさ、ギラつきを抑えることができる光ダクト装置を提供する。【解決手段】建物内に設置され、採光した自然光を室内に導光し、室内の照明に利用する光ダクト装置１が、自然光を室内に放光するための放光口１０−３乃至１０−６を有し、該光ダクト装置１内の放光口の周辺に、該放光口に向かって光を導くための反射板（反射板１１−１乃至１１−４）が設けられる。該反射板の各々の放光口に対向する反射面は、拡散反射率の高い表面特性を持つ光拡散面で形成されている。上記放光口には開き具合をを調整可能な蓋体を設けてもよく、また、蓋体の内面側を光拡散面としたり、蓋体を所定の光透過率をもつ材料で形成してもよい。【選択図】  図１
2009032654.tif 000002
【特許請求の範囲】
【請求項１】
建物内に設置され、採光した自然光を室内に導光し、室内の照明に利用する光ダクト装置であって、
上記光ダクト装置は、自然光を室内に放光するための放光口を有し、該光ダクト装置内の該放光口の周辺には、上記放光口に向かって光を導くための反射板を有し、
上記反射板の放光口に対向する反射面は、拡散反射率の高い表面特性を持つ光拡散面で形成されている
ことを特徴とする光ダクト装置。
【請求項２】
上記光ダクト装置が有する放光口の周辺の室内から見える位置にある上記光ダクト装置の内面が、拡散反射率の高い表面特性を持つ光拡散面で形成されている
ことを特徴とする請求項１に記載の光ダクト装置。
【請求項３】
前記光ダクト装置は、前記放光口から室内に向けての前記自然光の流入を遮蔽可能でかつ前記放光口に対する開き具合を調整可能な蓋体を備えている
ことを特徴とする請求項１又は請求項２に記載の光ダクト装置。
【請求項４】
前記蓋体は、前記光ダクト装置の内面側の面が、拡散反射率の高い表面特性を持つ光拡散面により形成されている
ことを特徴とする請求項３に記載の光ダクト装置。
【請求項５】
前記蓋体は、所定の光透過率を有する材料により形成されている
ことを特徴とする請求項３又は請求項４に記載の光ダクト装置。
【発明の詳細な説明】
【技術分野】
【０００１】
本発明は、光ダクト装置に関し、特に、室内等から放光口を見上げたときの見た目の眩しさ、ギラつきを抑えることができる光ダクト装置に関する。
【背景技術】
【０００２】
近年省エネルギーな二酸化炭素の排出削減による環境保護により環境保護の必要性が注目されており、この要望に応えるための手段の一つとして、太陽光を内面を反射率の高い部材で構成したダクトを介して室内に取り込み、照明用光源として利用する光ダクト装置が提案されている（例えば特許文献１、特許文献２参照）。
また、下記の特許文献３には、光ダクト内を伝搬してきた光を該光ダクトの端部に設けられた円弧形状の反射面で反射することによって、光をロスなく光取り出し口から室内等に放出する光ダクト装置について記載されている。
【０００３】
図１３は、従来の光ダクト装置の１例を示す斜視図である。この例では、上記特許文献３に記載されている光ダクト装置と同様の構成を有する光ダクト装置について説明する。図１３に示すように、光ダクト装置２は、自然光を室内に放光するための放光口２０を端部に有し、光ダクト内の該放光口２０の周辺には、上記放光口２０に向かって光を導くための円弧形状の反射板２１を有している。上記反射板２１の放光口２０に対向する反射面は、全反射率の高い鏡面材料で形成されている。光ダクト装置２の内面も、上記反射板２１の反射面と同様の鏡面材料で形成されている。
光ダクト装置２の採光口（図１３では図示を省略）から採り込まれた自然光は、図１３中の矢印に示すように、該光ダクト装置２の内面を反射しながら該光ダクト装置２の奥の端部に搬送される。光ダクト装置２の端部に搬送された光は、上記反射板２１の反射面で方向転換され、放光口２０から室内等に放光される。
【特許文献１】特開２０００−１４９６２８号公報
【特許文献２】特開平７−２３９４１７号公報
【特許文献３】特開２００５−２６８１５６号公報
【発明の開示】
【発明が解決しようとする課題】
【０００４】
図１３を参照して説明した光ダクト装置２では、自然光を放光口２０から室内等に放光するための反射板２１の反射面が鏡面材料で形成されているため、室内等から該放光口２０を見上げると、ギラついて見える（眩しい）という問題がある。
本発明は、室内等から放光口を見上げたときの見た目の眩しさ、ギラつきを抑えることができる光ダクト装置の提供を目的とする。
【課題を解決するための手段】
【０００５】
上記課題を解決するため、本発明においては、次のようにして前記課題を解決する。
（１）建物内に設置され、採光した自然光を室内に導光し、室内の照明に利用する光ダクト装置を設ける。上記光ダクト装置は、自然光を室内に放光するための放光口を有し、該光ダクト装置内の該放光口の周辺には、上記放光口に向かって光を導くための反射板を有し、上記反射板の放光口に対向する反射面は、拡散反射率の高い表面特性を持つ光拡散面で形成されている。
（２）上記光ダクト装置が有する放光口の周辺の室内から見える位置にある上記光ダクト装置の内面が、拡散反射率の高い表面特性を持つ光拡散面で形成されている。
（３）上記光ダクト装置は、上記放光口から室内に向けての前記自然光の流入を遮蔽可能でかつ上記放光口に対する開き具合を調整可能な蓋体を備えている。
（４）上記蓋体は、上記光ダクト装置の内面側の面が、拡散反射率の高い表面特性を持つ光拡散面により形成されている。
（５）前記蓋体は、所定の光透過率を有する材料により形成されている。
【発明の効果】
【０００６】
本発明においては、以下の効果を得ることができる。
（１）本発明の光ダクト装置が備える、放光口に向かって光を導くための反射板の反射面は、拡散反射率の高い表面特性を持つ光拡散面で形成されている。従って、本発明によれば、光ダクト装置内を伝搬してきた自然光が、上記反射板によって拡散反射するため、室内等から放光口を見上げたときの見た目の眩しさ、ギラつきを抑えることができる。
（２）本発明の光ダクト装置の放光口の周辺の室内から見える位置にある該光ダクト装置の内面が、拡散反射率の高い表面特性を持つ光拡散面で形成されている。従って、本発明によれば、光ダクト装置内を伝搬してきた自然光が、上記光拡散面で形成された光ダクト装置の内面によって拡散反射するため、光ダクト装置の内面が鏡面材料で形成されている場合に比べて、室内等から放光口を見上げたときの見た目の眩しさ、ギラつきを抑えることができる。
（３）上記光ダクト装置は、上記放光口から室内に向けての上記自然光の流入を遮蔽可能でかつ上記放光口に対する開き具合を調整可能な蓋体を備えている。従って、蓋体を閉じ状態として放光口を遮蔽することにより、該放光口から部屋に向けての光の入射を遮ることができる。一方、蓋体を開き状態として放光口を全開とすることにより、該放光口からの光をそのまま又は蓋体に反射させて室内に導くことができる。
更に、蓋体を開き状態と閉じ状態との間の中間状態に設定することにより、放光口の開放状態を調整することができる。
（４）上記蓋体は、上記光ダクト装置の内面側の面が、拡散反射率の高い表面特性を持つ光拡散面により形成されている。具体的には、上記蓋体は、上記自然光の流入を遮蔽した状態で上記反射板の反射面と対向する面が、拡散反射率の高い表面特性を持つ光拡散面により形成されている。従って、自然光は蓋体の光拡散面でも拡散反射することとなるため、蓋体により放光口を開放している状態では、該蓋体の光拡散面を反射して室内に導かれる光のギラつきが抑制される。また、蓋体により放光口を閉じている状態では、自然光は蓋体の光拡散面により拡散反射され、該放光口よりもさらに装置の奥方に導かれる。その結果、光ダクト装置の末端部への自然光の供給を増大させることができる。
（５）上記蓋体は、所定の光透過率を有する材料により形成されている。従って、該蓋体を通じて室内に導かれる光は、蓋体を通じることなく室内に導かれる光よりも和らぐものとなる。
【発明を実施するための最良の形態】
【０００７】
図１は本発明の第１の実施の形態に係る光ダクト装置の構成例を示す図である。図１（Ａ）は、本発明の光ダクト装置１の平面図であり、放光口側から見た図を示している。図１（Ｂ）は該光ダクト装置１の側面図であり、同図（Ａ）のＡ−Ａ断面図である。図１（Ｃ）は、図１（Ｂ）の一部拡大図であり、光ダクト中の光路と放光口の一例を示している。
図１（Ａ）、（Ｂ）に示す光ダクト装置１は、建物内に設置され、採光した自然光を室内に導光し、室内の照明に利用する光ダクト装置である。光ダクト装置１の内面は、鏡面材料等の光反射部材で形成されている。光ダクト装置１は、自然光を採光するための採光口４、自然光を室内に放光するための放光口１０−１乃至１０−６を有している。
なお、本実施形態においては、各放光口は正方形状に形成されているが、放光口が三角形状、五角形以上の多角形状に形成されていてもよく、楕円形状又は円形状であっても構わない。
また、光ダクト装置１内の各々の放光口（放光口１０−３乃至１０−６）の周辺には、放光口に向かって光を導くための反射板が設けられている。
【０００８】
すなわち、放光口１０−３の周辺には、放光口１０−３に向かって光を導くための反射板１１−１が設けられ、放光口１０−４の周辺には、放光口１０−４に向かって光を導くための反射板１１−２が設けられ、放光口１０−５の周辺には、放光口１０−５に向かって光を導くための反射板１１−３が設けられ、放光口１０−６の周辺には、放光口１０−６に向かって光を導くための反射板１１−４が設けられている。
ここで、各放光口の端辺部のうち、光ダクト装置１の採光口４に近い側の端部を手前側端辺部、該手前側端辺部よりも採光口４に遠い位置にある端部を奥方側端辺部とすると、反射板は、放光口から見て凸円弧状に湾曲して放光口の奥方側端辺部から該放光口の直上に向けて伸びている。
また、反射板が配備されている放光口においては、各反射板は、採光口４から遠ざかるにつれて、その面積が大きなものとなっており、それぞれ、手前の（採光口４に近い側の）放光口の周辺に設けられた反射板とオーバラップしない領域が存在する。
さらに、各々の反射板の、対応する放光口に対向する反射面は、拡散反射率の高い表面特性を持つ部材（例えば、光拡散特性を有する白色アルミニウム材料、和紙などの適度な拡散特性を持つもの）からなる光拡散面で形成されている。また、図１（Ａ）、（Ｂ）に示す例では、各々の反射板は、円弧形状を有している。さらに、図１（Ａ）に示すように、各反射板は、採光口４に遠い位置にある放光口の周辺に設けられた反射板ほど反射面の面積が大きくなるように形成されている。
【０００９】
上述した構成を有する光ダクト装置１の採光口４から採り込まれた自然光は、光ダクト装置１の内面を反射しながら光ダクト装置１の内部を伝搬し、採光口４に近い位置にある放光口から順次室内等に放出される。図１（Ａ）、（Ｂ）に示す例では、採光口４から採り込まれ、光ダクト装置１の内部を伝搬する自然光は、まず、放光口１０−１から放出され、次いで、放光口１０−２から放出される。放光口１０−１、１０−２から放出されずに放光口１０−３の位置まで伝搬した光は、該放光口１０−３の周辺に設けられた反射板１１−１によって拡散反射して、該放光口１０−３から室内等に放出される。
例えば、図１（Ｃ）に示すように、採光口４側から光ダクト装置１内を進行する光の一部は反射板を備えていない放光口１０−２から室内に放光されるとともに、光ダクト装置１内を進行して反射板１１−１に達し、ここで拡散反射して放光口１０−３から室内に放光され、さらに、放光口１０−３から放光されなかった光は、光ダクト装置１内を進行して次の放光口に達する。
なお、放光口１０−３などの反射板１１−１が設けられた放光口では、反射板で拡散反射した光の殆どが放光口１０−３から放光され、これに加えて、放光口１０−３の周辺の該光ダクト装置１の内面で反射した光の一部も放光される（放光口１０−４乃至１０−６においても同様である）。
【００１０】
放光口１０−３から放出されずに放光口１０−４の位置まで伝搬した光は、該放光口１０−４の周辺に設けられた反射板１１−２によって拡散反射して、該放光口１０−４から室内等に放出される。
以下同様に、放光口１０−４から放出されずに放光口１０−５の位置まで伝搬した光は、該放光口１０−５の周辺に設けられた反射板１１−３によって拡散反射して、該放光口１０−５から室内等に放出され、放光口１０−６から放出されずに放光口１０−６の位置まで伝搬した光は、該放光口１０−６の周辺に設けられた反射板１１−４によって拡散反射して、該放光口１０−６から室内等に放出される。
【００１１】
図２は、図１（Ａ）、（Ｂ）に示す光ダクト装置の部分拡大図である。この例では、放光口１０−６が設けられている、光ダクト装置１の端部を示す。該放光口１０−６の位置まで光ダクト装置１内を伝搬した、図２中の太線の矢印で示される光は、該放光口１０−６の周辺に設けられた反射板１１−４の、放光口１０−６に対向する反射面（拡散反射率の高い表面特性を持つ光拡散面）によって、図２中の細線の矢印に示すように拡散反射して、該放光口１０−６から室内等に放出される。
【００１２】
図１、図２に示す光ダクト装置１が備える反射板１０−３乃至１０−６の反射面は、拡散反射率の高い表面特性を持つ光拡散面で形成されている。従って、光ダクト装置１によれば、光ダクト装置１内を伝搬してきた自然光が、上記反射板によって拡散反射するため、室内等から各々の放光口を見上げたときの見た目の眩しさ、ギラつきを抑えることができる。
特に、前述したように、各反射板は、採光口４に遠い位置にある放光口の周辺に設けられた反射板ほど反射面の面積が大きくなるように形成されているため、光ダクト装置１から放光される光量をほぼ均一化することが可能となる。
【００１３】
本発明の光ダクト装置は、図１及び図２に示す構成に限定されない。本発明の一実施形態によれば、光ダクト装置１が備えるどの放光口の周辺に反射板を設けてもよい。また、各放光口の周辺に設ける反射板の反射面の面積を適宜変更するようにしてもよい。各放光口の周辺に設ける反射板の反射面の面積を適宜変更するようにすれば、室内から光ダクト装置１を見上げたときのギラつきの程度を変えることができる。
また、本発明の一実施形態によれば、図３中に示すように、放光口（図３では、放光口１０−６）の周辺に設ける反射板（反射板１１−４）の形状を平面形状としてもよい。
【００１４】
図４は、本発明の第２の実施の形態に係る光ダクト装置の構成例を示す図である。図４（Ａ）は、本発明の光ダクト装置３の平面図であり、放光口側から見た図を示している。図４（Ｂ）は該光ダクト装置３の側面図であり、同図（Ａ）のＡ−Ａ断面図である。
図４（Ａ）、（Ｂ）に示す光ダクト装置３は、建物内に設置され、採光した自然光を室内に導光し、室内の照明に利用する光ダクト装置である。光ダクト装置３が備える構成要素のうち、図１（Ａ）、（Ｂ）を参照して前述した光ダクト装置１が備える構成要素と同じ符号が付されたものは、該光ダクト装置１が備える構成要素と同様である。
前述した図１（Ａ）、（Ｂ）に示す光ダクト装置１の内面は、鏡面材料等の光反射部材で形成されているが、図４（Ａ）、（Ｂ）に示す光ダクト装置３では、反射板１１−１〜１１−４の放光口に対向する反射面が前述したように光拡散面で形成されていることに加え、各々の放光口（放光口１０−１乃至１０−６）の周辺の室内から見える位置にある該光ダクト装置３の内面が、拡散反射率の高い表面特性を持つ光拡散面（例えば、光拡散特性を有する白色アルミニウム材料）で形成されている。
具体的には、図４（Ｂ）中の太い点線で示す光ダクト装置３の内面１２−１乃至１２−６が、拡散反射率の高い表面特性を持つ光拡散面で形成されている。内面１２−１乃至１２−６以外の光ダクト装置３の内面は、図１（Ａ）、（Ｂ）に示す光ダクト装置１の内面と同様に、鏡面材料等の光反射部材で形成されている。
【００１５】
図４（Ａ）、（Ｂ）に示す光ダクト装置３の採光口４から採光され、光ダクト装置３内を各々の放光口が設けられた位置まで伝搬した自然光は、各々の放光口の周辺に設けられた反射板によって拡散反射する他、各々の放光口の周辺の室内から見える位置にある該光ダクト装置３の内面（内面１２−１乃至１２−６）によって拡散反射して、各々の放光口から室内に放光される。
従って、光ダクト装置３によれば、全ての内面が鏡面材料で形成されている光ダクト装置１（図１参照）に比べて、室内等から放光口を見上げたときの見た目の眩しさ、ギラつきを抑えることができる。
【００１６】
図５及び図６は、本発明の第３の実施の形態に係る光ダクト装置の構成例を示す図である。図５は、光ダクト装置５を、その長手方向から見たときの断面図（長手方向に直交する平面で切ったときの断面図）を示す。図６は、光ダクト装置５を室内側から見たときの平面図を示す。図５に示すように、光ダクト装置５は、１又は複数の放光口１５を備えるダクト本体１６と、該放光口１５のいずれか又はいずれか複数又は全てに配備される放光口開閉装置５０とを備えている。ダクト本体１６は、角筒状に組み上げられる４枚の平板状の壁材１７と、隣接する壁材１７同士を連結する４つのアングル材１８とを備えている。
各壁材１７は、平板状の心材１７ａの一方の面に鏡面材料等からなる平板状の光反射部材１７ｂを取り付けて形成されている。また、各壁材１７は、該光反射部材１７ｂの表面となる光反射面１６ａを互いに対向させた状態で組み上げられており、これによって、ダクト本体１６の内面は光反射面１６ａにより形成される。また、各アングル材１８は、断面Ｌ字状に形成されており、互いに隣接する壁材１７の接合部に光反射面１６ａ側から重合した状態で配備されている。かかる点に鑑みれば、アングル材１８の表面に鏡面材料等を蒸着等しておくことが好ましい。また、当該アングル材１８を互いに隣接する壁材１７の接合部に心材１７ａ側から重合した状態で配備することも可能である。また、光ダクト装置５の下面を形成する壁材１７に放光口１５が開設されている。各放光口１５には、図１及び図２を参照して前述した本発明の第１の実施の形態に係る光ダクト装置が備える反射板（例えば、図１（Ｂ）に示す反射板１１−１）と同様の構成を有する反射板１１が設けられている。
【００１７】
放光口開閉装置５０は、ダクト本体１６内から放光口１５を介して室内に照射される自然光を遮蔽可能な蓋体５１と、当該放光口１５に対する蓋体５１の開き具合を調整する蓋体開閉機構５２とを備えている。蓋体５１は、放光口１５から室内に向けての自然光の流入を遮蔽可能でかつ放光口１５に対する開き具合を調整可能な蓋体である。
該蓋体５１は、平板状に形成された基板５１ａと光を拡散反射する反射面形成板５１ｂとを積層して形成されており、該反射面形成板５１ｂが放光口１５を介してダクト本体１６の内面と対向可能な状態で、該放光口１５の下側に配備されている。反射面形成板５１ｂは、拡散反射率の高い表面特性を持つ部材（例えば、鏡面材料、光拡散特性を有する白色アルミニウム材料、和紙などの適度な拡散特性を持つ部材等）からなる光拡散面により形成されている。すなわち、該蓋体５１は、光ダクト装置５の内面側の面が、拡散反射率の高い表面特性を持つ光拡散面により形成されている。該光ダクト装置５の内面側は、光ダクト装置５において光を導く光反射面１６ａが形成された側である。
また、蓋体５１は、放光口１５を遮蔽可能な大きさの正方形状又は長方形状に形成されている。特に幅方向は放光口１５の幅よりも余裕を持たせて形成されており、これによって蓋体５１は、幅方向となる一対の側部にあそび（重なり代）５１ｃを有している。該蓋体１５は、放光口１５から室内に向けての自然光の流入を遮蔽した状態で該放光口１５と対向する。
また、蓋体開閉機構５２には、一対のガイド５３と、一対のストッパ５４（図６を参照）とを備えるスライド機構が採用されている。各ガイド５３は、蓋体５１の厚さよりも僅かに大きい高さを有する脚部５３ａと、該脚部５３ａの一端部から延びる平坦部５３ｂとを備える断面Ｌ字状に形成されている。また、図６に示すように、各ガイド５３は、放光口１５及び蓋体５１のダクト本体１６の延設方向の長さの和よりも十分に大きい長さを有して形成されている。また、両ガイド５３は、平坦部５３ｂを互いに対向させると共にダクト本体１６の延設方向の軸心に脚部５３ａを平行とした状態で放光口１５の側部にそれぞれ配備され、脚部５３ａの他端部をダクト本体１６の下部を形成する壁材１７の下面に懸架させた状態でダクト本体１６に取り付けられている。
【００１８】
また、各ストッパ５４は、一対のガイド５３の長手方向の端部同士を結ぶ直線上の中途部又はその周辺となる位置にてダクト本体１６に懸架されている。また、蓋体５１は、これら一対のガイド５３の平坦部５３ｂと下側の壁材１７のとの間にあそび５１ｃを挟み込んだ状態で配備されており、これら一対のガイド５３に案内されてダクト本体１６の軸心方向にスライド移動することが可能である。そして、蓋体５１は、ガイド５３の一方の端部に行き着くと、ストッパ５４に当接することとなり、これによって、それ以上の当該方向への蓋体５１の移動は制限されるものとなる。
【００１９】
図７は、本発明の第３の実施の形態における、蓋体のスライド動作を説明する図であり、図６と同様、室内側から見た平面図を示している。
図７（Ａ）は、放光口１５が全開している状態（開き状態）を示しており、このとき、蓋体５１は、全体をダクト本体１６の下面に対向させた状態に設定されている。この状態から蓋体５１をガイド５３に沿って放光口１５に向けてスライドさせると、図７（Ｂ）に示すように、蓋体５１は徐々に放光口１５に対向することとなり、これによって放光口１５はその開口面積を徐々が狭められるものとなる。これにより、放光口１５からの光の照射量は上記開き状態の場合よりも少なくなる。
そして、図７（Ｃ）に示すように、さらに蓋体５１を放光口１５に向けてガイド５３に沿ってスライドさせ、該蓋体５１の端部をストッパ５４に当接させると、該蓋体５１により放光口１５は塞がれて閉じ状態となる。その結果、当該放光口１５を見上げる場合に、目の眩しさ等が発生することがなくなる。
【００２０】
図５乃至７を参照して上述した本発明の第３の実施の形態によれば、ガイド５３に沿って蓋体をスライドさせることにより、放光口１５の開き具合を開き状態と閉じ状態との間で調整することができる。
しかも、蓋体５１は、光ダクト装置５の内面側の面が反射面形成板５１ｂにより形成されているので、蓋体５１を放光口１５に対向させると、該放光口１５に光拡散面が形成されることとなる。これにより、当該放光口１５を開放している場合よりも多くの光量をダクト本体１６のさらに奥方に導くことが可能となる。従って、蓋体５１を閉じ状態に設定すると、放光口１５の全てが光拡散面となり、当該放光口１５よりも奥方に光を導くことが可能となる。
【００２１】
図８及び図９は、本発明の第４の実施の形態に係る光ダクト装置の構成例を示す図である。
図８は、光ダクト装置６を室内側から見たときの平面図を示す。図９は光ダクト装置６の側面側から見た断面図（光ダクトの長手方向に平行で、かつ垂直な平面で切ったときの断面図）である。
光ダクト装置６は、図５を参照して前述したのと同様のダクト本体１６と、該ダクト本体１６の放光口１５に配備される放光口開閉装置６０とを備える。該放光口開閉装置６０は、図８に示す、放光口１５の周囲に配備される枠体６３と、該枠体６３に嵌まり込み可能であって放光口１５を全面に亘って遮蔽可能な蓋体６１と、該蓋体６１を開閉するヒンジ機構（蓋体開閉機構）６２とを備えている。
枠体６３は、中段部６３ｂと、該中段部６３ｂの先端に垂下される板状の垂下部６３ｃと、該垂下部６３ｃの先端から放光口１５の外方に向けて張り出す鍔部６３ｄとを備える。また、枠体６３のうち、放光口１５の一辺と対向する部分には、上記垂下部６３ｃ及び鍔部６３ｄに代えて角筒部材６３ｅが配備されている。該蓋体６１は、枠体６３の垂下部６３ｃ及び角筒部材６３ｅにより形成される四角形状の輪郭と同一若しくは僅かに小さい四角形状の外形を有する平板の基板６１ａと、枠体６３の中段部６３ｂにより形成される輪郭よりも僅かに大きい四角形状の外形を有する反射面形成板６１ｂとを積層して形成されており、該枠体６３の中段部６３ｂと垂下部６３ｃとの間に収容可能とされている。反射面形成板６１ｂは、拡散反射率の高い表面特性を持つ部材（例えば、鏡面材料、光拡散特性を有する白色アルミニウム材料、和紙などの適度な拡散特性を持つ部材等）からなる光拡散面により形成されている。すなわち、該蓋体６１は、光ダクト装置６の内面側の面が、拡散反射率の高い表面特性を持つ光拡散面により形成されている。
【００２２】
また、ヒンジ機構６２は、枠体６３の角筒部材６３ｅと蓋体６１の一側部との間に設けられている。該ヒンジ機構６２は、公知の構造により蓋体６１を任意の開き位置で係止することが可能である。また、該蓋体６１の一側部と対向する他側部には、蓋体６１を枠体６３の中段部６３ｂと垂下部６３ｃとの間に収容した状態に維持するロック機構６４が配備されている。また、枠体６３の中段部６３ｂには、上述のように、枠体６３に収容された蓋体５１と対向することとなる位置にクッション部材６５が配備されている。
【００２３】
本発明の光ダクト装置６は以上の構成からなるものであって、図８に示すように、蓋体６１を枠体６３内に収容すると共にロック機構６４を介して蓋体６１の他側部を枠体６３に係止すると、蓋体６１は閉じ状態に維持される。
蓋体６１は光ダクト装置５の内面側の面が反射面形成板６１ｂにより形成されているので、蓋体６１を放光口１５に対向させると、該放光口１５に光拡散面が形成されることとなる。その結果、当該放光口１５を開放している場合よりも多くの光量をダクト本体１６のさらに奥方に導くことが可能となる。
また、ロック機構６４を解除することにより、蓋体６１は、上記枠体６３に収容された状態（閉じ状態）から図９中に二点鎖線で示す開き状態（全開状態）との間で開閉自在となる。従って、当該開き状態と閉じ状態との間で蓋体６１の開き具合を調整することにより、該放光口１５からの光の照射量を調節することができる。
また、蓋体６１は、光ダクト装置５の内面側の面が、光拡散面として形成されているので、放光口１５から照射される光は該蓋体６１の光拡散面によりさらに拡散反射することとなる。従って、蓋体６１の開き具合を調節することにより光拡散面の角度も調整される。その結果、放光口１５から室内に向けて照射される光の向きや拡散も調整することが可能となる。
【００２４】
図１０は、本発明の第５の実施の形態に係る光ダクト装置の構成例を示す図である。図１０は、光ダクト装置７を長手方向から見たときの断面図（長手方向に垂直な平面で切ったときの断面図）を示す。光ダクト装置７は、図５を参照して前述したのと同様のダクト本体１６と、該ダクト本体１６の放光口１５に配備される放光口開閉装置７０とを備えている。
該放光口開閉装置７０は、放光口１５の周囲に配備される枠体７３と、該枠体７３に嵌まり込み可能であって放光口１５を全面に亘って遮蔽可能な蓋体７１と、該蓋体７１を開閉する開閉機構（蓋体開閉機構）７２とを備えている。蓋体７１は、放光口１５の一側部から他側部に亘って、枠体７３内に所定の間隔を有して配設される複数枚の仕切り片７１ａを備えて形成されている。各仕切り片７１ａは、前記所定の間隔よりも長い幅を有する長方形状に形成されている。蓋体７１が備える仕切り片７１ａは、光ダクト装置７の内面側の面が、拡散反射率の高い表面特性を持つ光拡散面により形成されている。
蓋体開閉機構７２は、蓋体７１の各仕切り片７１ａを回転自在に枢支する複数の枢支機構７２ａを有しており、これら各枢支機構７２ａは、それぞれ独立に仕切り片７１ａを回転させるものであってもよいし、互いに連動して仕切り片７１ａを回転させるものであってもよい。
【００２５】
本発明の光ダクト装置７は以上の構成からなるものであって、蓋体７１の仕切り片７１ａを回転させることにより、放光口１５を閉じ状態と開き状態との間で開き具合が調整される所謂シャッター機構が採用されており、ダクト本体１６内の光は、仕切り片７１ａ間のスリットＳを通じて室内に照射される。蓋体５１の仕切り片７１の角度を調整することにより、各スリットＳの絞りを調整することができ、これによって室内に照射される光量の調整を図ることができる。
【００２６】
以上、本発明の実施の形態を詳述したが、本発明は前述した実施の形態に限定されるものではない。本発明の一実施形態によれば、例えば、図６に示す蓋体５１、図９に示す蓋体６１、図１０に示す蓋体７１を所定の光透過率を有する材料（例えば、擦りガラス等の半透明材料）により形成することも可能であり、これにより、蓋体５１、６１、又は蓋体７１を閉じ状態とした場合であっても、放光口１５からの光を室内に照射することができる。半透明材料により形成された蓋体（蓋体５１、６１、又は蓋体７１）を備える光ダクト装置によれば、該半透明の蓋体を通じて室内に光が照射されることとなるので、該蓋体を開き状態とする場合よりも光の光量を抑制することができる。
また、図５乃至７を参照して前述した本発明の第３の実施形態の光ダクト装置５の構成を変更して、蓋体５１を天井面に垂直な軸心周りに回転自在に枢支し、当該軸心周りにスライド可能な構成を採用するようにしても、本発明の第３の実施の形態と同様の作用効果を奏する。
【００２７】
図１１及び図１２は、本発明の光ダクト装置の変形例を示す図であり、図１１は室内側から見たときの平面図、図１２は光ダクトを側面側から見た断面図（光ダクトの長手方向に平行で、垂直な平面で切ったときの断面図）である。
図８及び図９を参照して前述した第４の実施形態の光ダクト装置６の構成を変更して、例えば図１１に示すように、放光口１５を遮蔽可能な一対の蓋体６１をそれぞれヒンジ機構６２により枢支する観音開きの構成を採用するようにしてもよい。図１１に示す構成を採る光ダクト装置によっても、本発明の第４の実施の形態と同様の作用効果を奏する。
また、蓋体５１のスライド（図７を参照）や、蓋体６１（図９を参照）、蓋体７１（図１０を参照）の開閉、ロック機構６４（図８、図１１を参照）の設定・解除は、手動はもちろんリモコン操作等により電動（自動）で実行することができるようにしてもよい。
また、図１２に示すように、本発明の光ダクト装置が、屋上や屋根面上から下方に向けて伸びる直管状の構成を有するダクト本体１９を備えるようにしてもよい。そして、該光ダクト装置が、底部に形成された放光口１５に、前述した放光口開閉装置５０（図５を参照）、６０（図９を参照）、７０（図１０を参照）が取り付けられた構成（図１２では放光口１５に放光口開閉装置６０が取り付けられた構成例を示す）を採るようにしてもよい。
【図面の簡単な説明】
【００２８】
【図１】本発明の第１の実施の形態に係る光ダクト装置の構成例を示す図である。
【図２】光ダクト装置の部分拡大図である。
【図３】本発明の一実施形態を示す図である。
【図４】本発明の第２の実施の形態に係る光ダクト装置の構成例を示す図である。
【図５】本発明の第３の実施の形態に係る光ダクト装置の構成例を示す図（１）である。
【図６】本発明の第３の実施の形態に係る光ダクト装置の構成例を示す図（２）である。
【図７】本発明の第３の実施の形態における、蓋体のスライド動作を説明する図である。
【図８】本発明の第４の実施の形態に係る光ダクト装置の構成例を示す図（１）である。
【図９】本発明の第４の実施の形態に係る光ダクト装置の構成例を示す図（２）である。
【図１０】本発明の第５の実施の形態に係る光ダクト装置の構成例を示す図である。
【図１１】本発明の光ダクト装置の変形例を示す図（１）である。
【図１２】本発明の光ダクト装置の変形例を示す図（２）である。
【図１３】従来の光ダクト装置の例を示す図である。
【符号の説明】
【００２９】
１、２、３、５、６、７  光ダクト装置
４  採光口
１０−１、１０−２、１０−３、１０−４、１０−５、１０−６、１５、２０  放光口  １１、１１−１、１１−２、１１−３、１１−４、２１  反射板
１２−１、１２−２、１２−３、１２−４、１２−５、１２−６  内面
１６、１９  ダクト本体
１６ａ  光反射面
１７  壁材
１７ａ  心材
１７ｂ  光反射部材
１８  アングル材
５０、６０、７０  放光口開閉装置
５１、６１、７１  蓋体
５１ｂ、６１ｂ  反射面形成板
５１ｃ  あそび
５２  蓋体開閉機構
５３  ガイド
５３ａ  脚部
５３ｂ  平坦部
５４  ストッパ
６１ａ  基板
６２  ヒンジ機構
６３、７３  枠体
６３ｂ  中段部
６３ｃ  垂下部
６３ｄ  鍔部
６３ｅ  角筒部材
６４  ロック機構
６５  クッション部材
７１ａ  仕切り片
７２  蓋体開閉機構
７２ａ  枢支機構
【図１】
2009032654.tif 000003
【図２】
2009032654.tif 000004
【図３】
2009032654.tif 000005
【図４】
2009032654.tif 000006
【図５】
2009032654.tif 000007
【図６】
2009032654.tif 000008
【図７】
2009032654.tif 000009
【図８】
2009032654.tif 000010
【図９】
2009032654.tif 000011
【図１０】
2009032654.tif 000012
【図１１】
2009032654.tif 000013
【図１２】
2009032654.tif 000014
【図１３】
2009032654.tif 000015